(57)【要約】【課題】電子集金袋のデータ構造、集金処理装置、集金処理方法及びコンピュータプログラムの提供。【解決手段】コンピュータが実行する集金処理において用いられ、集金処理毎に生成される電子集金袋のデータ構造であって、電子集金袋を識別する識別子と、集金対象者、集金額、及び集金期日に関する情報を含む集金情報と、集金処理の処理状況を示す処理情報と、電子集金袋に対する入金権限、出金権限、及び参照権限を規定する権限情報とを含み、コンピュータによる、電子集金袋が生成される都度、集金情報を参照して、集金額及び集金期日に関する情報を集金対象者に関連付けられた通知先へ通知する処理、入金権限を満たす入金処理又は出金権限を満たす出金処理を受付けた場合、処理情報を更新する処理、及び参照権限を満たす参照要求に応じて、集金情報及び処理情報の少なくとも１つを読み出して出力する処理を含む集金処理に用いられる。【選択図】図７
2020149587.tif 000002
【特許請求の範囲】
【請求項１】
コンピュータが実行する集金処理において用いられ、集金処理毎に生成される電子集金袋のデータ構造であって、
前記電子集金袋を識別する識別子と、
集金対象者、集金額、及び集金期日に関する情報を含む集金情報と、
前記集金処理の処理状況を示す処理情報と、
前記電子集金袋に対する入金権限、出金権限、及び参照権限を規定する権限情報と
を含み、
前記コンピュータによる、
前記電子集金袋が生成される都度、前記集金情報を参照して、集金額及び集金期日に関する情報を前記集金対象者に関連付けられた通知先へ通知する処理、
前記入金権限を満たす入金処理又は前記出金権限を満たす出金処理を受付けた場合、前記処理情報を更新する処理、及び
前記参照権限を満たす参照要求に応じて、前記集金情報及び前記処理情報の少なくとも１つを読み出して出力する処理
を含む集金処理に用いられる電子集金袋のデータ構造。
【請求項２】
集金処理毎に、集金対象者、集金額、及び集金期日に関する情報を含み、識別子によって識別される電子集金袋を生成する生成部と、
前記電子集金袋を生成した場合、前記電子集金袋による集金額及び集金期日に関する情報を集金対象者に関連付けられた通知先へ通知する通知部と
を備える集金処理装置。
【請求項３】
前記電子集金袋は、集金処理の処理状況を示す処理情報を含み、
前記電子集金袋への入金又は前記電子集金袋からの出金を受付けた場合、前記処理情報を更新する更新部
を備える請求項２に記載の集金処理装置。
【請求項４】
前記更新部が前記処理情報を更新した場合、前記通知部は、更新後の処理情報を集金者に関連付けられた通知先へ通知する
請求項３に記載の集金処理装置。
【請求項５】
前記集金対象者に対して生成された１又は複数の電子集金袋の処理履歴を、前記集金対象者の情報に関連付けて記憶する記憶部
を備える請求項２から請求項４の何れか１つに記載の集金処理装置。
【請求項６】
前記集金期日まで前記電子集金袋への入金を受付け、前記集金期日に決済処理を実行する決済処理部
を備える請求項２から請求項５の何れか１つに記載の集金処理装置。
【請求項７】
前記電子集金袋への入金を受付けた場合、前記集金期日を待たずに決済処理を実行する決済処理部
を備える請求項２から請求項５の何れか１つに記載の集金処理装置。
【請求項８】
入金方法の選択を受付ける受付部
を備え、
前記決済処理部は、選択された入金方法にて前記電子集金袋への入金を受付けた場合、決済処理を実行する
請求項６に記載の集金処理装置。
【請求項９】
前記電子集金袋には、入金権限、出金権限、及び閲覧権限を含む処理権限が設定されており、
前記処理権限に応じて前記電子集金袋に対する処理を制限する処理制限部
を備える請求項２から請求項８の何れか１つに記載の集金処理装置。
【請求項１０】
前記電子集金袋は、集金処理毎に生成される一時的な仮想口座である
請求項２から請求項９の何れか１つに記載の集金処理装置。
【請求項１１】
コンピュータが、
集金処理毎に、集金対象者、集金額、及び集金期日に関する情報を含み、識別子によって識別される電子集金袋を生成し、
前記電子集金袋を生成した場合、前記電子集金袋による集金額及び集金期日に関する情報を集金対象者に関連付けられた通知先へ通知する
集金処理方法。
【請求項１２】
コンピュータに、
集金処理毎に、集金対象者、集金額、及び集金期日に関する情報を含み、識別子によって識別される電子集金袋を生成し、
前記電子集金袋を生成した場合、前記電子集金袋による集金額及び集金期日に関する情報を集金対象者に関連付けられた通知先へ通知する
処理を実行させるためのコンピュータプログラム。
【発明の詳細な説明】
【技術分野】
【０００１】
本発明は、電子集金袋のデータ構造、集金処理装置、集金処理方法及びコンピュータプログラムに関する。
【背景技術】
【０００２】
小学校、中学校などの学校において、教材費、給食費、ＰＴＡ（Parent-Teacher Association）会費、写真代等の各種費用を生徒の保護者から徴収する場合、封筒状の集金袋が一般的に使用されている（例えば、特許文献１を参照）。
【０００３】
例えば、小学校の先生が児童の各家庭から教材費５００円を徴収する場合、先生は、集金袋の集金名目欄及び金額欄にそれぞれ「教材費」及び「５００円」と記入し、児童に渡す。児童はその集金袋を家に持って帰り、これを児童の保護者に渡す。児童の保護者は、集金袋の集金名目欄及び金額欄等を確認して集金袋に教材費である５００円を入れて子供に渡す。児童は教材費が入れられた集金袋を学校に持って行き、先生に渡す。先生は集金袋に所定の費用５００円が入っていることを確認した後、領収印欄に捺印又はサインする。これにより、学校は児童の各家庭から教材費を集めることができる。
【先行技術文献】
【特許文献】
【０００４】
【特許文献１】特開平９−２０３３３４号公報
【発明の概要】
【発明が解決しようとする課題】
【０００５】
しかしながら、上述のような集金袋を用いて諸費用を集金する場合、児童の保護者はお釣りが出ないように小銭を用意する必要があり、煩わしさを感じることがある。また、児童に現金を持たせる必要があり、紛失の虞があるという問題点を有する。
【０００６】
本発明は、現実の集金袋を用いずに集金処理を実行できる電子集金袋のデータ構造、集金処理装置、集金処理方法及びコンピュータプログラムを提供することを目的とする。
【課題を解決するための手段】
【０００７】
本発明の一態様に係る電子集金袋のデータ構造は、コンピュータが実行する集金処理において用いられ、集金処理毎に生成される電子集金袋のデータ構造であって、前記電子集金袋を識別する識別子と、集金対象者、集金額、及び集金期日に関する情報を含む集金情報と、前記集金処理の処理状況を示す処理情報と、前記電子集金袋に対する入金権限、出金権限、及び参照権限を規定する権限情報とを含み、前記コンピュータによる、前記電子集金袋が生成される都度、前記集金情報を参照して、集金額及び集金期日に関する情報を前記集金対象者に関連付けられた通知先へ通知する処理、前記入金権限を満たす入金処理又は前記出金権限を満たす出金処理を受付けた場合、前記処理情報を更新する処理、及び前記参照権限を満たす参照要求に応じて、前記集金情報及び前記処理情報の少なくとも１つを読み出して出力する処理を含む集金処理に用いられる。
【０００８】
本発明の一態様に係る集金処理装置は、集金処理毎に、集金対象者、集金額、及び集金期日に関する情報を含み、識別子によって識別される電子集金袋を生成する生成部と、前記電子集金袋を生成した場合、前記電子集金袋による集金額及び集金期日に関する情報を集金対象者に関連付けられた通知先へ通知する通知部とを備える。
【０００９】
本発明の一態様に係る集金処理方法は、コンピュータが、集金処理毎に、集金対象者、集金額、及び集金期日に関する情報を含み、識別子によって識別される電子集金袋を生成し、前記電子集金袋を生成した場合、前記電子集金袋による集金額及び集金期日に関する情報を集金対象者に関連付けられた通知先へ通知する。
【００１０】
本発明の一態様に係るコンピュータプログラムは、コンピュータに、集金処理毎に、集金対象者、集金額、及び集金期日に関する情報を含み、識別子によって識別される電子集金袋を生成し、前記電子集金袋を生成した場合、前記電子集金袋による集金額及び集金期日に関する情報を集金対象者に関連付けられた通知先へ通知する処理を実行させるためのコンピュータプログラム。
【発明の効果】
【００１１】
本願によれば、現実の集金袋を用いずに集金処理を実行できる。
【図面の簡単な説明】
【００１２】
【図１】実施の形態１に係る集金処理システムを説明する模式的説明図である。
【図２】集金者端末の内部構成を説明するブロック図である。
【図３】支払者端末の内部構成を説明するブロック図である。
【図４】サーバ装置の内部構成を説明するブロック図である。
【図５】集金者テーブルの一例を示す概念図である。
【図６】支払者テーブルの一例を示す概念図である。
【図７】電子集金袋データベースに登録される電子集金袋のデータ構造の一例を示す概念図である。
【図８】集金者端末、支払者端末、及びサーバ装置が実行する処理の手順を説明するフローチャートである。
【図９】実施の形態２に係る支払者端末及びサーバ装置が実行する処理の手順を説明するフローチャートである。
【図１０】請求内容を示す表示画面の一例を示す模式図である。
【図１１】支払画面の一例を示す模式図である。
【図１２】実施の形態３に係る集金者端末及びサーバ装置が実行する処理の手順を説明するフローチャートである。
【図１３】入金状況確認画面の一例を示す模式図である。
【発明を実施するための形態】
【００１３】
以下、本発明をその実施の形態を示す図面に基づいて具体的に説明する。
（実施の形態１）
図１は実施の形態１に係る集金処理システムを説明する模式的説明図である。実施の形態１に係る集金処理システムは、集金者が使用する集金者端末１０、支払者（集金対象者）が使用する支払者端末２０、及び集金処理を実行するサーバ装置３０を備える。集金者端末１０、支払者端末２０、及びサーバ装置３０は、インターネット網又は専用回線などのネットワークＮを介して互いに通信可能に接続される。
【００１４】
本実施の形態において、例えば、学校の先生が給食費、ＰＴＡ会費、写真代等の各種費用を生徒の保護者から集金することを想定した場合、集金者は学校の先生であり、集金額の支払者は生徒の保護者である。また、集金処理は銀行などの金融機関によって行われる。このため、サーバ装置３０は金融機関に設置される。なお、集金者は特定の人物である必要はなく、学校などの任意の団体であってもよい。
【００１５】
各種費用を集金する集金イベントが発生した場合、サーバ装置３０は、電子集金袋を生成する。例えば、写真代を集金する場合、サーバ装置３０は、集金者からの要求に応じて電子集金袋を生成してもよい。また、給食費、ＰＴＡ会費を集金する場合のように定期的に集金を行う場合には、サーバ装置３０は、月１回等の定期的なタイミングにて電子集金袋を自動生成してもよい。サーバ装置３０によって生成される電子集金袋は、集金名目毎、支払者毎に生成される一時的な仮想口座であり、識別子（以下、袋ＩＤという）と、支払者、集金額、及び集金期日に関する情報を含む集金情報と、集金処理の処理状況を示す処理情報と、各種権限を規定した権限情報とを含む。
【００１６】
サーバ装置３０は、電子集金袋を生成した場合、その電子集金袋の集金情報を参照し、集金額及び集金期日に関する情報を支払者に関連付けられている通知先へ通知する。ここで、支払者に関連付けられている通知先とは、例えば支払者が使用している電子メールアドレス等である。サーバ装置３０が通知する集金情報は支払者端末２０に表示される。
【００１７】
支払者は、サーバ装置３０から集金額及び集金期日に関する情報が通知された場合、電子集金袋への入金を行う。電子集金袋は金融機関の仮想口座として用意されるので、支払者は、この仮想口座へ集金額を振り込むことにより、電子集金袋に入金することができる。また、支払者が所有している口座から仮想口座への自動引き落としにより、集金額を電子集金袋に入金してもよい。
【００１８】
集金額が電子集金袋に入金された場合、サーバ装置３０は、決済処理を実行する。サーバ装置３０は、集金期日に決済処理を実行してもよく、集金期日を待たずに決済処理を実行してもよい。サーバ装置３０の決済処理により、電子集金袋を用いて集金した集金額は、電子集金袋から集金者の指定口座へ移動する。
【００１９】
図２は集金者端末１０の内部構成を説明するブロック図である。集金者端末１０は、パーソナルコンピュータなどの端末装置であり、制御部１１、記憶部１２、通信部１３、操作部１４、及び表示部１５を備える。
【００２０】
制御部１１は、例えば、ＣＰＵ（Central Processing Unit）、ＲＯＭ（Read Only Memory）、ＲＡＭ（Random Access Memory）等を備える。制御部１１のＣＰＵは、ＲＯＭ又は記憶部１２に予め記憶された各種プログラムをＲＡＭに展開して実行することにより、上述した各種ハードウェアの動作を制御する。
【００２１】
なお、制御部１１は、上記の構成に限定されるものではなく、１又は複数のＣＰＵ、マルチコアＣＰＵ、マイコン等を含む任意の処理回路であればよい。また、制御部１１は、日時情報を出力するクロック、計測開始指示を与えてから計測終了指示を与えるまでの経過時間を計測するタイマ、数をカウントするカウンタ等の機能を備えていてもよい。
【００２２】
記憶部１２は、フラッシュメモリ、ハードディスクなどを用いた記憶装置を備える。記憶部１２には、制御部１１によって実行される各種コンピュータプログラム、及びコンピュータプログラムの実行に必要なデータ等が記憶される。記憶部１２に記憶されるコンピュータプログラムには、集金者端末１０の動作全体を制御するためのプログラムであるオペレーティングシステム、集金者から各種データの入力を受付けるためのアプリケーションプログラム等が含まれる。
【００２３】
なお、記憶部１２に記憶されるプログラムは、当該プログラムを読み取り可能に記録した非一時的な記録媒体により提供されてもよい。記録媒体は、例えば、ＣＤ−ＲＯＭ、ＵＳＢメモリ、ＳＤ（Secure Digital）カード、マイクロＳＤカード、コンパクトフラッシュ（登録商標）などの可搬型メモリである。この場合、制御部１１は、不図示の読取装置を用いて記録媒体から各種プログラムを読み取り、読み取った各種プログラムを記憶部１２にインストールすることが可能である。また、記憶部１２に記憶されるプログラムは、通信部１３を介した通信により提供されてもよい。この場合、制御部１１は、通信部１３を通じて各種プログラムを取得し、取得した各種プログラムを記憶部１２にインストールすることができる。
【００２４】
通信部１３は、ネットワークＮに接続するための接続インタフェースを備える。通信部１３は、サーバ装置３０等から送信される情報をネットワークＮを通じて受信した場合、受信した情報を制御部１１へ出力する。制御部１１は、通信部１３を通じて受信した情報に基づき、適宜の処理を実行する。また、通信部１３は、サーバ装置３０等へ送信すべき情報を制御部１１から取得した場合、ネットワークＮを通じてサーバ装置３０等へ送信する。
【００２５】
操作部１４は、キーボード、マウスなどの入力インタフェースを備えており、集金者による操作を受付ける。表示部１５は、液晶ディスプレイ装置などを備えており、集金者に対して報知すべき情報を表示する。
【００２６】
図３は支払者端末２０の内部構成を説明するブロック図である。支払者端末２０は、スマートフォン、パーソナルコンピュータなどの端末装置であり、制御部２１、記憶部２２、通信部２３、操作部２４、及び表示部２５を備える。
【００２７】
制御部２１は、例えば、ＣＰＵ、ＲＯＭ、ＲＡＭ等を備える。制御部２１のＣＰＵは、ＲＯＭ又は記憶部２２に予め記憶された各種プログラムをＲＡＭに展開して実行することにより、上述した各種ハードウェアの動作を制御する。
【００２８】
なお、制御部２１は、上記の構成に限定されるものではなく、１又は複数のＣＰＵ、マルチコアＣＰＵ、マイコン等を含む任意の処理回路であればよい。また、制御部２１は、日時情報を出力するクロック、計測開始指示を与えてから計測終了指示を与えるまでの経過時間を計測するタイマ、数をカウントするカウンタ等の機能を備えていてもよい。
【００２９】
記憶部２２は、フラッシュメモリ、ハードディスクなどを用いた記憶装置を備える。記憶部２２には、制御部２１によって実行される各種コンピュータプログラム、及びコンピュータプログラムの実行に必要なデータ等が記憶される。記憶部２２に記憶されるコンピュータプログラムには、支払者端末２０の動作全体を制御するためのプログラムであるオペレーティングシステム、支払者から各種データの入力を受付けるためのアプリケーションプログラム等が含まれる。
【００３０】
なお、記憶部２２に記憶されるプログラムは、当該プログラムを読み取り可能に記録した非一時的な記録媒体により提供されてもよい。記録媒体は、例えば、ＣＤ−ＲＯＭ、ＵＳＢメモリ、ＳＤカード、マイクロＳＤカード、コンパクトフラッシュなどの可搬型メモリである。この場合、制御部２１は、不図示の読取装置を用いて記録媒体から各種プログラムを読み取り、読み取った各種プログラムを記憶部２２にインストールすることが可能である。また、記憶部２２に記憶されるプログラムは、通信部２３を介した通信により提供されてもよい。この場合、制御部２１は、通信部２３を通じて各種プログラムを取得し、取得した各種プログラムを記憶部２２にインストールすることができる。
【００３１】
通信部２３は、ネットワークＮに接続するための接続インタフェースを備える。通信部２３は、サーバ装置３０等から送信される情報をネットワークＮを通じて受信した場合、受信した情報を制御部２１へ出力する。制御部２１は、通信部２３を通じて受信した情報に基づき、適宜の処理を実行する。また、通信部２３は、サーバ装置３０等へ送信すべき情報を制御部２１から取得した場合、ネットワークＮを通じてサーバ装置３０等へ送信する。
【００３２】
操作部２４は、キーボード、マウスなどの入力インタフェースを備えており、支払者による操作を受付ける。表示部２５は、液晶ディスプレイ装置などを備えており、支払者に対して報知すべき情報を表示する。
【００３３】
図４はサーバ装置３０の内部構成を説明するブロック図である。サーバ装置３０は、例えば、制御部３１、記憶部３２、通信部３３、操作部３４、及び表示部３５を備える。
【００３４】
制御部３１は、例えば、ＣＰＵ、ＲＯＭ、ＲＡＭ等を備える。制御部３１のＣＰＵは、ＲＯＭ又は記憶部３２に予め記憶された各種プログラムをＲＡＭに展開して実行することにより、上述した各種ハードウェアの動作を制御し、装置全体を本願の集金処理装置として機能させる。
【００３５】
また、制御部３１は、日時情報を出力するクロック、計測開始指示を与えてから計測終了指示を与えるまでの経過時間を計測するタイマ、数をカウントするカウンタ等の機能を備えていてもよい。
【００３６】
記憶部３２は、フラッシュメモリ、ハードディスクなどを用いた記憶装置を備える。記憶部３２には、制御部３１によって実行される各種コンピュータプログラム、及び各種データが記憶される。
【００３７】
記憶部３２に記憶されるコンピュータプログラムには、サーバ装置３０の動作全体を制御するためのコンピュータプログラムであるオペレーティングシステムの他、集金処理プログラム３２０が含まれる。この集金処理プログラム３２０は、集金イベントに応じて電子集金袋を生成する処理、集金額及び集金期日を集金対象者へ通知する処理等をサーバ装置３０に実行させるためのコンピュータプログラムである。
【００３８】
なお、記憶部３２に記憶されるプログラムは、当該プログラムを読み取り可能に記録した非一時的な記録媒体Ｍにより提供されてもよい。記録媒体Ｍは、例えば、ＣＤ−ＲＯＭ、ＵＳＢメモリ、ＳＤカード、マイクロＳＤカード、コンパクトフラッシュなどの可搬型メモリである。この場合、制御部３１は、不図示の読取装置を用いて記録媒体Ｍから各種プログラムを読み取り、読み取った各種プログラムを記憶部３２にインストールすることが可能である。また、記憶部３２に記憶されるプログラムは、通信部３３を介した通信により提供されてもよい。この場合、制御部３１は、通信部３３を通じて各種プログラムを取得し、取得した各種プログラムを記憶部３２にインストールすることができる。
【００３９】
また、記憶部３２は、集金者に関する情報が登録される集金者テーブル３２１、支払者に関する情報が登録される支払者テーブル３２２、及び電子集金袋のデータが登録される電子集金袋データベース３２３を有する。集金者テーブル３２１、支払者テーブル３２２、及び電子集金袋データベース３２３については後に詳述する。
【００４０】
通信部３３は、ネットワークＮに接続するための接続インタフェースを備える。通信部３３は、集金者端末１０、支払者端末２０等から送信される情報をネットワークＮを通じて受信した場合、受信した情報を制御部３１へ出力する。制御部３１は、通信部３３を通じて受信した情報に基づき、適宜の処理を実行する。また、通信部３３は、集金者端末１０、支払者端末２０等へ送信すべき情報を制御部３１から取得した場合、ネットワークＮを通じて集金者端末１０、支払者端末２０等へ送信する。
【００４１】
操作部３４は、キーボード、マウスなどの入力インタフェースを備えており、勤務者による操作を受付ける。表示部３５は、液晶ディスプレイ装置などを備えており、勤務者に対して報知すべき情報を表示する。なお、本実施の形態では、サーバ装置３０が操作部３４及び表示部３５を備える構成としたが、操作部３４及び表示部３５は必須ではなく、外部に接続されたコンピュータを通じて操作を受付け、通知すべき情報を外部のコンピュータへ出力する構成であってもよい。
【００４２】
なお、本実施の形態では、簡略化のために、サーバ装置３０を１つの装置として記載したが、複数の処理装置により構成されてもよく、１又は複数の仮想マシンにより構成されるものであってもよい。
【００４３】
図５は集金者テーブル３２１の一例を示す概念図である。集金者テーブル３２１には集金者に関する情報が登録される。集金者テーブル３２１に登録される情報は、例えば、集金者ＩＤ、集金者氏名、集金者の所属、集金者が使用しているメールアドレス、集金者が指定した口座の情報等が含まれる。
【００４４】
図６は支払者テーブル３２２の一例を示す概念図である。支払者テーブル３２２には支払者に関する情報が登録される。支払者テーブル３２２に登録される情報は、例えば、支払者ＩＤ、支払者氏名、生徒氏名、学校名、学年、クラス、出席番号、支払者が使用しているメールアドレス、支払者が指定した口座の情報等が含まれる。
【００４５】
図７は電子集金袋データベース３２３に登録される電子集金袋のデータ構造の一例を示す概念図である。電子集金袋は、袋ＩＤが登録されるフィールドと、集金情報が登録されるフィールドと、処理情報が登録されるフィールドと、権限情報が登録されるフィールドとを備える。袋ＩＤは、各電子集金袋を識別する識別子である。集金情報は、支払者、集金額、及び集金期日の情報を含む。集金情報は、更に集金名目及び集金者の情報等を含んでもよい。処理情報は、未入金、入金済、決済完了等のステータス、入金日、決済完了日等の処理日の情報を含む。権限情報は、入金権限、出金権限、参照権限を含む処理権限の情報である。
【００４６】
サーバ装置３０は、集金者からの要求等に応じて、上述の各フィールドを備える電子集金袋を生成し、必要な情報を各フィールドに登録する。電子集金袋は、サーバ装置３０による集金処理に用いられる。ここで、サーバ装置３０による集金処理には、電子集金袋が生成される都度、集金情報を参照して、集金額及び集金期日に関する情報を支払者に関連付けられた通知先へ通知する処理、入金権限を満たす入金処理又は出金権限を満たす出金処理を受付けた場合、処理情報を更新する処理、及び参照権限を満たす参照要求に応じて、集金情報及び処理情報の少なくとも１つを読み出して出力する処理が含まれる。
【００４７】
図７に例示する電子集金袋は、「＃１２３」の袋ＩＤを有し、「Ｐ００１」の支払者ＩＤにより識別される支払者（Ａさん）から「写真代」を集金するために生成された電子集金袋であることを示している。また、この電子集金袋による集金者は、「Ｃ００１」の集金者ＩＤにより識別される集金者（Ｘさん）であることを示している。この電子集金袋の生成に応じて、支払者には、集金額（例えば５２５円）及び集金期日（２０１８年１１月２０日）の情報がサーバ装置３０から通知される。集金額及び集金期日の情報が通知された後、電子集金袋への入金処理、電子集金袋からの出金処理、及び決済処理が行われる。なお、これらの処理は、設定された処理権限を有する者によって実行される。入金処理、出金処理、又は決済処理が実行された場合、電子集金袋の処理情報（ステータス及び処理日）が更新される。例えば、袋ＩＤが「＃１２３」の電子集金袋に関して入金処理が行われた場合、ステータスは「未入金」から「入金済」に更新され、処理日は入金が完了した日付（例えば２０１８年１１月１０日）に更新される。また、サーバ装置３０により決済処理が完了した場合、ステータスは「入金済」から「決済完了」に更新され、処理日は決済が完了した日付に更新される。
【００４８】
以下、本実施の形態に係る集金処理システムの動作について説明する。
図８は集金者端末１０、支払者端末２０、及びサーバ装置３０が実行する処理の手順を説明するフローチャートである。集金者端末１０の制御部１１は、操作部１４を通じて、支払者、集金額、及び集金期日に関する情報を含む集金情報を受付ける（ステップＳ１０１）。制御部１１は、支払者に関する情報として、例えば、支払者の氏名、支払者が使用している電子メールアドレス、支払者の口座情報等を受け付けてもよい。また、支払者に関する情報がサーバ装置３０の支払者テーブル３２２に登録済みである場合、制御部１１は、支払者に関する情報として支払者ＩＤを受け付けてもよい。更に、制御部１１は、複数の支払者を指定するグループＩＤを受け付け、グループに属する複数の支払者のそれぞれから集金する集金額の情報と、集金期日の情報とを受け付けてもよい。
【００４９】
次いで、集金者端末１０の制御部１１は、通信部１３を通じて、支払者、集金額、及び集金額等の情報を含む集金要求をサーバ装置３０へ送信する（ステップＳ１０２）。
【００５０】
サーバ装置３０の制御部３１は、通信部３３を通じて、集金者端末１０から送信される集金要求を受信した場合（ステップＳ１０３）、電子集金袋を生成する（ステップＳ１０４）。このとき、制御部３１は、電子集金袋に割り当てる袋ＩＤを発行し、発行した袋ＩＤ、並びに、集金情報、処理情報、及び権限情報を含む電子集金袋を生成する。袋ＩＤ、集金情報、処理情報、及び権限情報は上述した各フィールドに入力され、電子集金袋として電子集金袋データベース３２３に登録される。なお、権限情報に含まれる入金権限は支払者に付与され、出金権限は金融機関（サーバ装置３０）に付与され、参照権限は支払者及び集金者に付与される。
【００５１】
制御部３１は、電子集金袋を生成した場合、集金情報を参照して、集金額及び集金期日の情報を支払者に通知する（ステップＳ１０５）。このとき、制御部３１は、集金額及び集金期日の情報を含み、支払者の電子メールアドレスを宛先とした電子メールを通信部３３より送信する。なお、支払者の電子メールアドレスは、支払者ＩＤに関連付けられて支払者テーブル３２２に登録されている。
【００５２】
支払者端末２０の制御部２１は、通信部２３を通じて、集金額及び集金期日の情報を含む通知をサーバ装置３０から受信し（ステップＳ１０６）、通知に含まれる集金額及び集金期日の情報を表示部２５に表示する（ステップＳ１０７）。
【００５３】
サーバ装置３０の制御部３１は、集金額及び集金期日の情報を送信した後、電子集金袋への入金を待ち受ける。制御部３１は、入金処理を受付ける際に、入金者の入金権限を確認してもよい。例えば、制御部３１は、ユーザＩＤ及びパスワード等を用いてユーザ認証を行い、ユーザ認証により特定されたユーザと、電子集金袋の権限情報（入金権限）に設定された権限者との異同を判断することにより、入金権限を確認することができる。電子集金袋への入金が行われた場合、制御部３１は、その電子集金袋における処理情報（ステータス及び処理日）を更新する（ステップＳ１０８）。
【００５４】
なお、電子集金袋への入金は、金融機関における一般的な振り込み処理と同様の処理にて実施される。また、サーバ装置３０は、電子集金袋への入金方法について支払者の選択を受け付けてもよい。例えば、サーバ装置３０は、クレジット決済、電子マネー決済、仮想通過決済、有価ポイントによる決済等を選択する選択画面を、支払者端末２０の表示部２５に表示させ、支払者により選択された決済方法を利用して、電子集金袋への入金を受け付けてもよい。
【００５５】
更に、集金額が比較的高額となる場合等において、サーバ装置３０は、電子集金袋への入金を複数回に分けて受け付けてもよい。
【００５６】
次いで、制御部３１は、適宜のタイミングにて決済処理を実行する（ステップＳ１０９）。制御部３１は、電子集金袋から集金額を出金し、集金者により指定された口座に入金することによって、決済処理を実行する。制御部３１は、集金期日の当日に決済処理を実行してもよく、集金期日を待たずに決済処理を実行してもよい。更に、集金額が比較的高額であり、複数回に分けて電子集金袋への入金を受付ける場合、制御部３１は、入金額の合計が集金額に達したことを受けて決済処理を実行してもよい。制御部３１は、決済処理を実行した後、電子集金袋における処理情報（ステータス及び処理日）を更新する（ステップＳ１１０）。決済処理が完了した場合、制御部３１は、通信部３３を通じて、決済が完了した旨の通知を集金者端末１０へ送信する（ステップＳ１１１）。
【００５７】
集金者端末１０の制御部１１は、通信部１３を通じて、決済が完了した旨の通知をサーバ装置３０から受信し（ステップＳ１１２）、受信した通知を表示部１５に表示する（ステップＳ１１３）。
【００５８】
以上のように、本実施の形態に係るサーバ装置３０は、集金名目毎、支払者毎に電子集金袋を生成し、電子集金袋を用いて集金処理を実行するので、現実の集金袋を用いることなく集金処理を実行できる。このため、子供に現金を持たせる心配がなくなり、集金の都度、お釣りが出ないよう小銭を用意する必要がなくなる。
【００５９】
（実施の形態２）
実施の形態２では、支払者端末２０からの閲覧要求に応じて、支払者への請求内容をサーバ装置３０から支払者端末２０に通知する構成について説明する。
【００６０】
図９は実施の形態２に係る支払者端末２０及びサーバ装置３０が実行する処理の手順を説明するフローチャートである。支払者端末２０の制御部２１は、操作部２４を通じて、支払者への請求内容に係る閲覧要求を受付けた場合（ステップＳ２０１）、通信部２３を通じて、支払者ＩＤを含む閲覧要求をサーバ装置３０へ送信する（ステップＳ２０２）。
【００６１】
サーバ装置３０の制御部３１は、通信部３３を通じて、請求内容の閲覧要求を受信した場合（ステップＳ２０３）、閲覧要求に含まれる支払者ＩＤを検索キーとして、ステータスが「未入金」の電子集金袋を電子集金袋データベース３２３から検索する（ステップＳ２０４）。このとき、制御部３１は閲覧権限を確認してもよい。例えば、制御部３１は、ユーザＩＤ及びパスワード等を用いてユーザ認証を行い、ユーザ認証により特定されたユーザと、電子集金袋の権限情報（閲覧権限）に設定された権限者との異同を判断することにより、閲覧権限を確認することができる。検索結果が得られた場合、制御部３１は、通信部３３を通じて、検索結果を支払者端末２０へ返信する（ステップＳ２０５）。
【００６２】
支払者端末２０の制御部２１は、通信部２３を通じて、サーバ装置３０から送信される検索結果を受信する（ステップＳ２０６）。制御部２１は、サーバ装置３０の検索結果を元に、請求内容を示す表示画面を生成し、生成した表示画面を表示部２５に表示する（ステップＳ２０７）。
【００６３】
図１０は請求内容を示す表示画面の一例を示す模式図である。図１０に示す請求画面２５０は、特定の支払者（例えば、支払者ＩＤ「Ｐ００１」の支払者）への請求内容を示している。この例では、袋ＩＤ「＃１２３」の電子集金袋を用いて実施される請求と、袋ＩＤ「＃４５６」の電子集金袋を用いて実施される請求とが示されている。各請求には、支払ボタン２５１，２５２がそれぞれ割り当てられている。支払ボタン２５１，２５２は、操作部２４を用いて操作可能なソフトウェアボタンである。支払ボタン２５１，２５２が操作された場合、制御部２１は、表示部２５における表示を支払画面２６０（図１１を参照）に遷移させる。また、図１０に示す請求画面２５０には、支払いを行わずに画面を閉じる操作を受付けるために、クローズボタン２５３が配置されている。
【００６４】
図１１は支払画面２６０の一例を示す模式図である。図１１に示す支払画面２６０は、上述の請求画面２５０において支払ボタン２５１が操作された場合に、表示部２５に表示される表示画面の一例を示している。支払画面２６０には、支払いを開始させるスタートボタン２６１と、支払いを開始させずに画面を閉じるクローズボタン２６２とが配置されている。スタートボタン２６１及びクローズボタン２６２は、操作部２４を用いて操作可能なソフトウェアボタンである。スタートボタン２６１が操作された場合、制御部２１は、通信部２３を通じて、袋ＩＤ「＃１２３」を指定した支払開始指示をサーバ装置３０へ送信する。支払開始指示を受信したサーバ装置３０は、支払者テーブル３２２に登録されている支払者の口座情報を参照し、支払者の口座から袋ＩＤ「＃１２３」の電子集金袋へ集金額を入金させる。一方、クローズボタン２６２が操作された場合、制御部２１は、支払処理を実行することなく、支払画面２６０を閉じる処理を実行する。
【００６５】
以上のように、本実施の形態では、支払者からの閲覧要求に応じて、請求内容を支払者端末２０の表示部２５に表示させることができる。
【００６６】
（実施の形態３）
実施の形態３では、集金者端末１０からの閲覧要求に応じて、入金状況をサーバ装置３０から集金者端末１０に通知する構成について説明する。
【００６７】
図１２は実施の形態３に係る集金者端末１０及びサーバ装置３０が実行する処理の手順を説明するフローチャートである。集金者端末１０の制御部１１は、操作部１４を通じて、入金状況に係る閲覧要求を受付けた場合（ステップＳ３０１）、通信部２３を通じて、集金者ＩＤを含む閲覧要求をサーバ装置３０へ送信する（ステップＳ３０２）。
【００６８】
サーバ装置３０の制御部３１は、通信部３３を通じて、入金状況の閲覧要求を受信した場合（ステップＳ３０３）、閲覧要求に含まれる集金者ＩＤを検索キーとして、集金者ＩＤに関連付けられている電子集金袋を電子集金袋データベース３２３から検索する（ステップＳ３０４）。このとき、制御部３１は閲覧権限を確認してもよい。例えば、制御部３１は、ユーザＩＤ及びパスワード等を用いてユーザ認証を行い、ユーザ認証により特定されたユーザと、電子集金袋の権限情報（閲覧権限）に設定された権限者との異同を判断することにより、閲覧権限を確認することができる。検索結果が得られた場合、制御部３１は、通信部３３を通じて、検索結果を集金者端末１０へ返信する（ステップＳ３０５）。
【００６９】
集金者端末１０の制御部１１は、通信部１３を通じて、サーバ装置３０から返信される検索結果を受信する（ステップＳ３０６）。制御部１１は、サーバ装置３０の検索結果を基に、入金状況を示す表示画面を生成し、生成した表示画面を表示部１５に表示する（ステップＳ３０７）。
【００７０】
図１３は入金状況確認画面の一例を示す模式図である。図１３に示す入金状況確認画面では、各支払者の入金状況が一覧により表示されている。集金額の合計を集金者端末１０又はサーバ装置３０において計算し、計算結果を併せて表示してもよい。また、集金名目毎の入金状況を一覧により表示してもよい。
【００７１】
以上のように、本実施の形態では、集金者からの閲覧要求に応じて、入金状況を集金者端末１０の表示部１５に表示させることができる。
【００７２】
今回開示された実施形態は、全ての点において例示であって、制限的なものではないと考えられるべきである。本発明の範囲は、上述した意味ではなく、特許請求の範囲によって示され、特許請求の範囲と均等の意味及び範囲内での全ての変更が含まれることが意図される。
【符号の説明】
【００７３】
１０  集金者端末
２０  支払者端末
３０  サーバ装置
１１，２１，３１  制御部
１２，２２，３２  記憶部
１３，２３，３３  通信部
１４，２４，３４  操作部
１５，２５，３５  表示部
３２０  集金処理プログラム
３２１  集金者テーブル
３２２  支払者テーブル
３２３  電子集金袋データベース
【図１】
2020149587.tif 000003
【図２】
2020149587.tif 000004
【図３】
2020149587.tif 000005
【図４】
2020149587.tif 000006
【図５】
2020149587.tif 000007
【図６】
2020149587.tif 000008
【図７】
2020149587.tif 000009
【図８】
2020149587.tif 000010
【図９】
2020149587.tif 000011
【図１０】
2020149587.tif 000012
【図１１】
2020149587.tif 000013
【図１２】
2020149587.tif 000014
【図１３】
2020149587.tif 000015